(57)【要約】      （修正有）【課題】小型化を図る縦装着プリンタで、用紙トレイ非装着時、トレイ本体の開口部を被覆し塵埃進入防止し、収納用紙挿脱時に用紙トレイから出る不具合を解消。【解決手段】トレイ本体２３の底板２５上に用紙が積層収納された用紙トレイ２１をトレイ挿脱口から斜行ないし直立させトレイ装着部３に装着するプリンタで、トレイ装着部奥部に用紙トレイの挿入方向先端側部を保持するトレイ保持部４を設け、用紙トレイのプリンタ本体１への装着時に、トレイ本体の用紙を用紙トレイの反挿入方向へ押戻す用紙案内部を突設し、用紙トレイの挿入方向先端側の端壁および底板に、用紙トレイのプリンタ本体への装着時に用紙案内部９を位置する開口切欠き部を形成し、トレイ本体の挿入方向先端側の端壁２６上面に、用紙案内部９の用紙トレイ挿入方向の突出寸法以下で突出し、搬送用開口部２２に用紙の先端を係止し、搬送用開口部方向への用紙の移動を規制する突起２９を形成。【選択図】図１
2009269694.tif 000002
【特許請求の範囲】
【請求項１】
トレイ本体の底板上に用紙が積層収納された用紙トレイを、プリンタ本体の筐体に形成されたトレイ挿脱口からプリンタ本体に対して斜行ないし直立させた状態でトレイ装着部に装着させるプリンタにおいて、
前記トレイ装着部の奥部には、挿入されるトレイ本体の用紙トレイの挿入方向先端側部を保持するトレイ保持部が配設されており、
前記トレイ保持部には、用紙トレイのプリンタ本体に対する装着時にトレイ本体内へ臨み、トレイ本体に収納されている用紙を用紙トレイの反挿入方向へ押し戻す用紙案内部が突設されており、
前記トレイ本体の用紙トレイの挿入方向先端側の端壁および底板には、前記用紙トレイのプリンタ本体に対する装着時に前記用紙案内部を位置させる開口切欠き部が形成されているとともに、
前記トレイ本体の挿入方向先端側の端壁上面には、前記用紙案内部のトレイ本体内における前記用紙トレイの挿入方向の突出寸法以下の寸法で突出し、搬送用開口部方向への用紙の移動を規制する突起が形成されていることを特徴とするプリンタ。
【請求項２】
前記搬送用開口部を除く開放上面を被覆する天板および前記天板の側辺から垂設された一対の側壁を有する蓋本体と、前記蓋本体の天板の外方に天板と平行に配置され、前記搬送用開口部を被覆する可動天板および前記可動天板の側壁から垂設され、前記一対の側壁の外方にそれぞれ側壁と平行に配置された一対の可動側壁を有する可動蓋とからなり、
前記可動蓋は、蓋本体の用紙トレイの挿入方向先端側において、前記蓋本体に形成された本体側スライド案内部と、前記可動蓋に形成された可動側スライド案内部とを係合させることにより、蓋本体に対し用紙トレイの挿脱方向にスライド自在に配設されているとともに、前記可動蓋の外面には蓋側フックが形成された蓋体を備え、
前記プリンタ本体のトレイ装着部における前記トレイ保持部より用紙トレイの挿入方向手前側には、用紙トレイのプリンタ本体に対する装着時に、前記可動蓋の前記用紙トレイの挿入方向側端部を突き当てる付き当て部が形成されており、
前記プリンタ本体のトレイ装着部における前記付き当て部より用紙トレイの挿入方向手前側には、用紙トレイがプリンタ本体から外される際に前記蓋側フックを係合させる本体側フックが配設されていることを特徴とする請求項１に記載のプリンタ。
【請求項３】
前記本体側スライド案内部は蓋本体の一対の側壁に形成され、前記可動側スライド案内部は可動蓋に形成されており、
前記本体側スライド案内部および可動側スライド案内部のいずれか一方は、用紙トレイの反挿入方向に向かって上方へ向かうカム溝として形成されており、
前記本体側スライド案内部および可動側スライド案内部のいずれか他方は、前記カム溝内を移動可能に係合する凸状係合部として形成されていることを特徴とする請求項２に記載のプリンタ。
【請求項４】
前記搬送用開口部を除く開放上面を被覆する天板および前記天板の側辺から垂設された一対の側壁を有する蓋本体と、前記蓋本体の天板の外方に天板と平行に配置され、前記搬送用開口部を被覆する可動天板および前記可動天板の側壁から垂設され、前記一対の側壁の外方にそれぞれ側壁と平行に配置された一対の可動側壁を有する可動蓋とからなり、
前記可動蓋は、蓋本体の用紙トレイの挿入方向先端側において、前記蓋本体に形成された本体側スライド案内部と、前記可動蓋に形成された可動側スライド案内部とを係合させることにより、蓋本体に対し用紙トレイの挿脱方向にスライド自在に配設されているとともに、ばねの付勢によって前記可動蓋を常時閉状態に保持する機構を備え、
前記プリンタ本体のトレイ装着部における前記トレイ保持部より用紙トレイの挿入方向手前側には、用紙トレイのプリンタ本体に対する装着時に、前記可動蓋の前記用紙トレイの挿入方向側端部を付き当てる付き当て部が形成されていることを特徴とする請求項１に記載のプリンタ。
【発明の詳細な説明】
【技術分野】
【０００１】
本発明は、用紙トレイをプリンタ本体に対して斜行ないし直立させた状態で挿脱させるプリンタであって、特に、用紙トレイ自体とそのプリンタ本体に対する挿脱機構に特徴を有するプリンタに関する。
【背景技術】
【０００２】
従来より、トレイ装着部のトレイ挿脱口が筐体に形成されたプリンタ本体と、所望のサイズの用紙が積層されて収納され、前記トレイ挿脱口からプリンタ本体内のトレイ装着部に挿脱可能とされた用紙トレイとを備えたプリンタが利用されている。
【０００３】
このプリンタは、記録時には、用紙トレイを先端側から前記トレイ挿脱口に挿し込むようにしてプリンタ本体内のトレイ装着部に装着し、プリンタ本体内に配設された分離ローラを、用紙トレイの最上位に積層されている用紙の先端側に当接させ、前記分離ローラを回転させることで用紙を１枚ずつ分離させ、用紙トレイの先端側に開口する搬送用開口部からプリンタ本体内の印刷部に給紙するように構成されている。
【０００４】
この構成のプリンタは、用紙トレイをトレイ装着部に装着した際に用紙トレイの後端側をプリンタ本体外に露出させることで、プリンタ本体の軽量化および小型化を図るように構成されている。そして、近年ではさらに、プリンタの設置面積の狭小化（省スペース化）を図るべく、用紙トレイをプリンタ本体に対して横方向以外の方向（斜め方向や垂直方向を含み、本発明においては「縦方向」と概念する）から挿脱させる構成のプリンタが開発されている（特許文献１参照）。
【０００５】
【特許文献１】特開２０００−１０３５３７号公報
【発明の開示】
【発明が解決しようとする課題】
【０００６】
そして、用紙トレイをプリンタ本体に対して縦方向に挿脱させるプリンタ（「縦装着プリンタ」という）においては、用紙トレイをプリンタ本体のトレイ装着部に挿脱させるとき、ユーザは用紙トレイを斜めに保持してその挿脱を行なうこととなる。その際、従来の用紙トレイは、該用紙トレイに収納している用紙がその自重によって、用紙トレイの先端側に確保された前記分離ローラの配置用スペースおよび給紙部から滑り出てしまうといった不具合があった。
【０００７】
さらに、用紙トレイのプリンタに対する非装着時に前記搬送用開口部が開状態になっていると、その搬送用開口部から塵埃が入り、印画不良の原因となる可能性がある。
【０００８】
本発明は、前述したような課題を解決するため、プリンタの小型化、省スペース化を図ることのできる縦装着プリンタにおいて、プリンタに対する用紙トレイの非装着時に、トレイ本体の開口部を被覆して塵埃の進入を防止し、収納された用紙が挿脱時に用紙トレイから出てしまう不具合を解消することができる使用感の良好な機構を備えたプリンタを提供することを目的とする。
【課題を解決するための手段】
【０００９】
前述した目的を達成するため、本発明のプリンタは、トレイ本体の底板上に用紙が積層収納された用紙トレイを、プリンタ本体の筐体に形成されたトレイ挿脱口からプリンタ本体に対して斜行ないし直立させた状態でトレイ装着部に装着させるプリンタにおいて、前記トレイ装着部の奥部には、挿入されるトレイ本体の用紙トレイの挿入方向先端側部を保持するトレイ保持部が配設されており、前記トレイ保持部には、用紙トレイのプリンタ本体に対する装着時にトレイ本体内へ臨み、トレイ本体に収納されている用紙を用紙トレイの反挿入方向へ押し戻す用紙案内部が突設されており、前記トレイ本体の用紙トレイの挿入方向先端側の端壁および底板には、前記用紙トレイのプリンタ本体に対する装着時に前記用紙案内部を位置させる開口切欠き部が形成されているとともに、前記トレイ本体の挿入方向先端側の端壁上面には、前記用紙案内部のトレイ本体内における前記用紙トレイの挿入方向の突出寸法以下の寸法で突出し、搬送用開口部方向への用紙の移動を規制する突起部が形成されていることを特徴とする。
【００１０】
このような構成を備えたプリンタは、前記用紙トレイのプリンタ本体に対する装着時には、トレイ本体の用紙トレイの挿入方向先端側の端壁および底板に形成された開口切欠き部からトレイ本体内に突入した用紙案内部により、トレイ本体内に収納されている用紙が用紙トレイの反挿入方向へ押し戻されることになる。このとき、用紙がトレイ本体の挿入方向先端側の端壁上面に形成された突起部の突出量よりも大きく押し戻されることにより、用紙は前記トレイ本体の挿入方向先端側の端壁上面に形成された突起部を回避して搬送用開口部から搬送経路へ送出される。また、前記用紙トレイのプリンタ本体に対する非装着時には、トレイ本体に形成された突起部が、トレイ本体に積層された用紙の先端上面に当接することにより、用紙の位置をトレイ本体内に規制するように作用する。
【００１１】
また、本発明のプリンタは、前記搬送用開口部を除く開放上面を被覆する天板および前記天板の側辺から垂設された一対の側壁を有する蓋本体と、前記蓋本体の天板の外方に天板と平行に配置され、前記搬送用開口部を被覆する可動天板および前記可動天板の側壁から垂設され、前記一対の側壁の外方にそれぞれ側壁と平行に配置された一対の可動側壁を有する可動蓋とからなり、前記可動蓋は、蓋本体の用紙トレイの挿入方向先端側において、前記蓋本体に形成された本体側スライド案内部と、前記可動蓋に形成された可動側スライド案内部とを係合させることにより、蓋本体に対し用紙トレイの挿脱方向にスライド自在に配設されているとともに、前記可動蓋の外面には蓋側フックが形成された蓋体を備え、前記プリンタ本体のトレイ装着部における前記トレイ保持部より用紙トレイの挿入方向手前側には、用紙トレイのプリンタ本体に対する装着時に、前記可動蓋の前記用紙トレイの挿入方向側端部を付き当てる付き当て部が形成されており、前記プリンタ本体のトレイ装着部における前記当接部より用紙トレイの挿入方向手前側には、用紙トレイがプリンタ本体から外される際に前記蓋側フックを係合させる本体側フックが配設されていることを特徴とする。
【００１２】
このような構成を備えたプリンタにおいては、前記用紙トレイは、プリンタ本体の筐体に形成されたトレイ挿脱口に前記プリンタ本体に対して斜行ないし直立させた状態で挿入されることで、可動蓋をプリンタ本体の付き当て部に付き当てて、蓋本体の上面において用紙トレイの反挿入方向へスライド移動させることにより、前記トレイ本体の開放上面における前記用紙トレイの挿入方向側に形成される搬送用開口部を開き、トレイ挿脱口から抜かられる際には、前記蓋側フックを本体側フックに係合させることで、用紙トレイの搬送用開口部を閉じることができる。
【００１３】
なお、前記本体側スライド案内部は、蓋本体の一対の側壁に形成され、前記可動側スライド案内部は可動蓋に形成されており、前記本体側スライド案内部および可動側スライド案内部のいずれか一方は、用紙トレイの反挿入方向に向かって上方へ向かうカム溝として形成されており、前記本体側スライド案内部および可動側スライド案内部のいずれか他方は、前記カム溝内を移動可能に係合する凸状係合部として形成されていてもよい。
【００１４】
また、別のプリンタは、前記搬送用開口部を除く開放上面を被覆する天板および前記天板の側辺から垂設された一対の側壁を有する蓋本体と、前記蓋本体の天板の外方に天板と平行に配置され、前記搬送用開口部を被覆する可動天板および前記可動天板の側壁から垂設され、前記一対の側壁の外方にそれぞれ側壁と平行に配置された一対の可動側壁を有する可動蓋とからなり、前記可動蓋は、蓋本体の用紙トレイの挿入方向先端側において、前記蓋本体に形成された本体側スライド案内部と、前記可動蓋に形成された可動側スライド案内部とを係合させることにより、蓋本体に対し用紙トレイの挿脱方向にスライド自在に配設されているとともに、ばねの付勢によって前記可動蓋を常時閉状態に保持する機構を備え、前記プリンタ本体のトレイ装着部における前記トレイ保持部より用紙トレイの挿入方向手前側には、用紙トレイのプリンタ本体に対する装着時に、前記可動蓋の前記用紙トレイの挿入方向側端部を付き当てる付き当て部が形成されていることを特徴とする。
【００１５】
このような構成を備えたプリンタにおいては、前記用紙トレイは、プリンタ本体の筐体に形成されたトレイ挿脱口に前記プリンタ本体に対して斜行ないし直立させた状態で挿入されることで、可動蓋をプリンタ本体の付き当て部に突き当てて、ばねの付勢力に抗しつつ、蓋本体の上面において用紙トレイの反挿入方向へスライド移動させることにより、前記トレイ本体の開放上面における前記用紙トレイの挿入方向側に形成される搬送用開口部を開き、トレイ挿脱口から抜かられる際には、前記ばねの付勢力を利用して可動蓋を閉状態に戻すことで、用紙トレイの搬送用開口部を閉じることができる。
【００１６】
以上の構成を備えた本発明のプリンタはいずれも、用紙トレイをプリンタ本体に着脱させることで、可動蓋を移動させて搬送用開口部を開閉することができる。そして、プリンタに対する用紙トレイの非装着時には、トレイ本体の搬送用開口部を可動蓋が被覆し、前記蓋体によってトレイ本体の開放上面を全て被覆することができるので、用紙が用紙トレイの搬送用開口部から出てしまう不具合を確実に防止することができるとともに、用紙トレイ内への塵埃の進入を防止し、印画不良の発生を回避することができる。
【発明の効果】
【００１７】
前述のように、本発明のプリンタによれば、プリンタに対する用紙トレイの非装着時には、トレイ本体に形成された突起部が、トレイ本体に積層された用紙の位置を規制することにより、用紙が用紙トレイから出てしまう不具合を解消することができる。
【００１８】
また、プリンタに対する用紙トレイの非装着時には、トレイ本体の搬送用開口部を可動蓋が被覆し、前記蓋体によってトレイ本体の開放上面を全て被覆することができるので、用紙が用紙トレイの搬送用開口部から出てしまう不具合を確実に防止することができるとともに、用紙トレイ内への塵埃の進入を防止し、印画不良の発生を回避することができる。
【００１９】
そして、用紙トレイをプリンタ本体に着脱させることで、可動蓋を移動させて搬送用開口部を開閉することができるので、使用感が極めて良好であるといった優れた効果を奏する。
【発明を実施するための最良の形態】
【００２０】
先ず、本発明のプリンタの第１実施形態について、図１乃至図７を用いて説明する。図１は、第１実施形態におけるプリンタのプリンタ本体に対する用紙トレイの装着前の状態を説明する斜視図であり、図２は、第１実施形態におけるプリンタのプリンタ本体に対し、用紙トレイを装着した状態を説明する斜視図である。図３は、図２の状態の本実施形態のプリンタの側面図であり、図４は、図３のIV−IV断面図である。また、図５は本実施形態の用紙トレイの可動蓋を閉じた状態を示す説明図であり、（Ａ）は平面図、（Ｂ）は側面図、（Ｃ）は（Ａ）のＣ−Ｃ断面図、（Ｄ）は（Ｃ）の要部拡大説明図である。そして、図６は、本実施形態の用紙トレイの可動蓋を開いて、搬送用開口部を開放した状態を示す説明図であり、（Ａ）は平面図、（Ｂ）は（Ａ）のＢ−Ｂ断面図、（Ｃ）は（Ｂ）の要部拡大説明図、（Ｄ）は斜視図である。さらに、図７は、本実施形態のプリンタのトレイ保持部と用紙トレイとの関係を説明する説明図であり、（Ａ）は平面図、（Ｂ）は側面図、（Ｃ）は（Ａ）のＣ−Ｃ断面図である。これらの各図面には、プリンタ本体の筐体等の図示を省略し、用紙トレイのプリンタ本体の装着と保持に関係する要部のみを選択的に図示する。なお、図１乃至図３中に太矢印で指し示す辺が、縦装着プリンタの載置面と平行に位置する辺である。
【００２１】
本実施形態のプリンタは、サーマルヘッドが配設された印刷部を備えるプリンタ本体１と、前記印刷部に供給搬送される用紙Ｐを積層収納させた用紙トレイ２１を備えている。
【００２２】
前記プリンタ本体１は、不図示の筐体の上面にトレイ挿脱口が形成されており、このトレイ挿脱口に後述する構成の用紙トレイ２１を、図１に示すように、用紙Ｐの搬送経路の上流に位置する搬送用開口部２２が形成された先端側からプリンタ本体１に対して斜行させた状態で挿入し、図２に示すように、プリンタ本体１内の前記印刷部近傍となる一対の側壁部材２間に形成されたトレイ装着部３の奥部に形成されたトレイ保持部４に、前記搬送用開口部２２が開口するトレイ本体２３の先端側を嵌着させて保持させることで、用紙トレイ２１を前記トレイ装着部３に装着可能とされている。なお、本実施形態のプリンタにおいては、用紙トレイ２１をトレイ装着部３に装着した際、用紙トレイ２１の後端側は、前記トレイ挿脱口からプリンタ本体１外に露出させることで、プリンタの小型化、省スペース化が図られている。  
【００２３】
ここで、本実施形態のプリンタにおいては、プリンタ本体１内の一対の側壁部材２にはそれぞれ、用紙トレイ２１の挿脱を案内する案内レール１５が形成されている。この案内レール１５は縦断面コ字状とされ、その凹部を互いに向き合わせるようにして一対の側壁部材２にそれぞれ形成されており、この凹部に用紙トレイ２１を構成するトレイ本体２３の両側部に突出形成されたレール嵌合部２４を嵌合させ、スライド移動させることにより、用紙トレイ２１が案内レール１５に案内されてトレイ装着部３に対する着脱がなされるように構成されている。
【００２４】
また、前記トレイ装着部３を構成する一対の側壁部材２の用紙トレイ２１の挿脱方向における前記トレイ保持部４の直前部には、用紙トレイ２１がプリンタ本体１に装着される際に、後述する用紙トレイ２１の可動蓋６１の先端部をそれぞれ付き当て、可動蓋６１の前記トレイ保持部４側への進入を阻止する壁状の付き当て部６が形成されている。また、前記付き当て部６の直前部には、後述する用紙トレイ２１の可動蓋６１に形成されたトレイの開き防止用突起６５の上側に位置し、用紙トレイ２１の蓋体４１が開いてしまうことを阻止するプリンタ側係止突起７が形成されている。
【００２５】
この構成を備えることにより、用紙トレイ２１がトレイ装着部３に装着される際に、可動蓋６１はこの付き当て部６に突き当たり、それ以上の奥側への進入が阻止される一方で、トレイ本体２３はさらに挿入されることになる。これにより、トレイ本体２３の先端側上面に搬送用開口部２２を開口させることができる。
【００２６】
また、前記トレイ装着部３を構成する一対の側壁部材２における前記付き当て部６の用紙トレイ２１の反挿入方向側には、用紙トレイ２１がトレイ装着部３から引き抜かれる際に、後述する蓋体４１の可動蓋６１に形成された蓋側フック６６をそれぞれ係合させるプリンタ側フック８が配設されている。
【００２７】
このプリンタ側フック８はそれぞれ前記一対の側壁部材２に基端部が固定され、中間部に形成された立上り部を経て、先端側を用紙トレイ２１の反挿入方向へ延在させる可撓片８ａを有し、その可撓片８ａの自由先端部に鈎状のフック部８ｂが形成されている。よって、本実施形態のプリンタ側フック８は前記フック部８ｂに蓋側フック６６が当接する際に、可撓片８ａが撓むように構成されている。
【００２８】
そして、本実施形態において、前記トレイ装着部３の奥部に配設されたトレイ保持部４には、前記用紙トレイ２１のプリンタ本体１のトレイ装着部３に対する装着時に、トレイ本体２３の先端においてトレイ本体２３内へ臨み、トレイ本体２３内に収納されている用紙を用紙トレイ２１の反挿入方向へ押して移動させるブロック状の用紙案内部９が突設されている。さらに、前記トレイ保持部４を構成する一対の側壁部材２にはそれぞれ、トレイ本体２３に形成されたトレイ保持用フック６８を係止可能とされた保持用係止孔１０が形成されている。
【００２９】
また、プリンタ本体１内においては、前記印刷部の直前部には図示しない分離ローラが配設されており、この分離ローラを用紙トレイ２１の最上位に積層されている用紙Ｐの先端側に当接させ、回転させることで、用紙Ｐを１枚ずつ分離させ、用紙トレイ２１の先端側に開口する搬送用開口部２２から前記印刷部に搬送するように構成されている。
【００３０】
また、本実施形態の用紙トレイ２１は、底板２５上に用紙Ｐを積層する開放上面の平面形状矩形の函状とされたトレイ本体２３と、トレイ本体２３の開放上面を被覆可能に配設された蓋体４１を備えている。
【００３１】
本実施形態において、前記トレイ本体２３は所望のサイズに切断された単体の用紙Ｐの幅方向の位置を規制するとともに、用紙トレイ２１のプリンタ本体１に対する挿脱方向は前記用紙Ｐのトレイ本体２３内における、前述の用紙案内部９の突出量分の移動を許容可能に構成されている。そして、前記トレイ本体２３の用紙トレイ２１の挿入方向先端側の端壁２６および底板２５には、前記用紙トレイ２１のプリンタ本体１に対する装着時に、プリンタ本体１のトレイ保持部４に形成された用紙案内部９を位置させる開口切欠き部２７が形成されている。本実施形態においては、前記用紙案内部９は、用紙トレイ２１に収容される用紙Ｐの幅方向中央から対称に離間する位置に２つ形成されている。なお、前記トレイ本体２３の先端側における底板２５には、用紙トレイ２１のプリンタ本体１に対する装着時に、積層収納された用紙Ｐの先端側を分離ローラと当接させるべく、前記分離ローラ側へ押し上げるためのプリンタ本体１の不図示のリフトアップ機構が臨むリフトアップ用開口部２８が形成されている。
【００３２】
また、前記トレイ本体２３の挿入方向先端側の端壁２６の上面には、前記用紙案内部９のトレイ本体２３内における前記用紙トレイ２１の挿入方向の突出寸法以下の寸法で突出し、搬送用開口部において用紙Ｐの先端を係止させ、その流出移動を規制する爪状の突起２９が形成されている。
【００３３】
そして、本実施形態の蓋体４１は、トレイ本体２３の開放上面を被覆したときに、トレイ本体２３の前記搬送用開口部２２を除く開放上面に配置される天板５２と、前記天板５２の側辺から垂設され、トレイ本体２３を構成する一対の側壁３０の外方にそれぞれ平行に配置される一対の側壁５３とを有する蓋本体５１を備えている。
【００３４】
本実施形態において、前記蓋体４１は、前記一対の側壁５３における用紙トレイ２１の反挿入方向側端部が、トレイ本体２３を構成する一対の側壁３０における用紙トレイ２１の反挿入方向側端部に対して軸止めされており、この軸止め部を回動中心として回動することで、トレイ本体２３の上面を開放したり、被覆したりするように構成されている。よって、前記用紙トレイ２１に用紙Ｐを補充する際には、蓋体４１を前記軸止め部を以てその上面を開放するように回動させればよい。
【００３５】
そして、前記蓋本体５１には、用紙トレイ２１のプリンタ本体１に対する装着時には、前記トレイ本体２３に形成される搬送用開口部２２を開き、非装着時には、前記搬送用開口部２２を閉じるシャッタとして作用する可動蓋６１が、用紙トレイ２１の挿脱方向にスライド移動自在に配設されている。
【００３６】
本実施形態において、前記可動蓋６１は、前記天板５２の用紙トレイ２１の挿入方向先端側の平面上においてスライド移動自在に配置され、少なくとも前記搬送用開口部２２を被覆する可動天板６２と、前記可動天板６２の側辺から垂設され、前記蓋本体５１の一対の側壁５３の外方にそれぞれ平行に配置された一対の可動側壁６３とを有している。そして、蓋本体５１の一対の側壁５３における用紙トレイ２１の挿入方向先端側には、本体側スライド案内部としてのスライド溝５４がそれぞれ形成されており、前記可動蓋６１の一対の可動側壁６３の内面には、前記スライド溝５４係合し、前記スライド溝５４内をスライド自在に移動する、可動側スライド案内部としての不図示のスライド用突起が形成されている。なお、前記本体側スライド案内部５４を突起状に形成し、可動側スライド案内部を溝状に形成してもよい。そして、前記可動蓋６１が、その先端側を蓋本体５１における用紙トレイ２１の挿入方向側へ延在させるようにしてスライド移動し、蓋本体５１から先端側へ突出し、片持ち状に支持されて位置することで、搬送用開口部２２は被覆され、前記可動蓋６１がその逆方向、即ち、用紙トレイ２１の反挿入方向へスライド移動して、その可動天板６２を前記蓋本体５１の天板５２と重ねるように位置することで、搬送用開口部２２は給紙可能な状態に開放されるように構成されている。
【００３７】
そして、本実施形態においては、前記可動蓋６１の一対の可動側壁６３の外面における用紙トレイ２１の挿入方向先端には、外方へ突出するトレイの開き防止用突起６５が形成されている。
【００３８】
また、前記可動蓋６１の一対の可動側壁６３の外面における前記開き防止用突起６５の用紙トレイ２１の反挿入方向手前側には、用紙トレイ２１をトレイ装着部３から引き抜く際に前記プリンタ側フック８と係合する蓋側フック６６が形成されている。前記蓋側フック６６は、図１に示すように、前述のプリンタ本体１側の当接壁とプリンタ側フック８との用紙トレイ２１の挿脱方向における距離寸法Ｘよりも、プリンタ本体１の当接壁に係合する可動蓋６１の先端から蓋側フック６６との用紙トレイ２１の挿脱方向における距離寸法Ｙが小さくなる位置に形成されている。この構成を備えることにより、トレイ本体２３が引き抜かれる一方で、前記可動蓋６１は蓋側フック６６がプリンタ側フック８と係合し、両フック８，６６間の係合力よりも用紙トレイ２１を引き抜く力が大きく作用するまで留まることで、トレイ本体２３の先端上面に開口していた搬送用開口部２２を再び可動蓋６１によって被覆することができる。
【００３９】
そして、前記蓋本体５１の天板５２と可動蓋６１の可動天板６２の対向面にはそれぞれ、用紙トレイ２１の前記プリンタ本体１に対する非装着時における可動蓋６１の位置を規制する係合部５５，６７が形成されている。詳しくは、本実施形態においては、図５（Ｄ）に示すように、前記可動蓋６１の下面における用紙トレイ２１の反挿入方向における端辺近傍には凹状係合部６７が形成されている。そして、前記蓋本体５１の天板の上面の、用紙トレイ２１のプリンタ本体１に対する非装着時における前記可動蓋６１の前記凹状係合部６７に対応する位置には、前記凹状係合部６７に係合する凸状係合部５５が形成されている。なお、係合部５５，６７の凹凸の関係は、蓋本体５１に凹状の係合部を形成し、可動蓋６１に凸状の係合部を形成してもよい。このように、用紙トレイ２１のプリンタ本体１に対する非装着時に前記可動蓋６１の移動を規制する構成を備えることにより、用紙トレイ２１は、可動蓋の不意な開閉による怪我や用紙の流出を防止することができ、ハンドリングしやすくなる。
【００４０】
さらに、前記トレイ本体２３の一対の側壁３０における用紙トレイ２１の挿入方向先端部には、トレイ保持部４に形成された保持用係止孔１０に係止可能に構成されたトレイ保持用フック６８が形成されている。トレイ保持用フック６８は、用紙トレイ２１の反挿入方向を連接させたコ字状の切欠きに三方を囲まれた可撓片６８ａの自由先端部に断面三角形状のフック部６８ｂが形成されている。
【００４１】
このように構成されたプリンタにおいては、前記用紙トレイ２１は、プリンタ本体１の筐体に形成されたトレイ挿脱口に前記プリンタ本体１に対して斜行ないし直立させた状態で案内レール５に沿って挿入されると、トレイ装着部３の付き当て部６に用紙トレイ２１の可動蓋６１が突き当たる。この状態で、さらにトレイ本体２３をさらに奥側へ挿入すると、可動蓋６１は前記付き当て部６により、前記トレイ保持部４側への進入を阻止され、スライド溝５４にしたがって、蓋本体５１と重なるようにスライド移動する。よって、前記トレイ本体２３の開放上面における前記用紙トレイ２１の挿入方向側に形成される搬送用開口部２２が開かれていく。また、トレイ本体２３自体は、さらに挿入されることにより、その先端部に形成されたトレイ保持用フック６８がプリンタ側の保持用係止孔１０に係止され、前記トレイ保持部４に保持される。そして、トレイ本体２３の用紙トレイ２１の挿入方向先端側の端壁２６および底板２５に形成された開口切欠き部２７からトレイ本体２３内に突入した用紙案内部９により、トレイ本体２３内に収納されている用紙Ｐは用紙トレイ２１の反挿入方向へ押し戻される。このとき、用紙Ｐが前記トレイ本体２３の挿入方向先端側の端壁上面に形成された突起２９の突出量よりも大きく反挿入方向へ押し戻されることにより、用紙Ｐは前記突起Ｐを回避する。これにより、用紙トレイ２１がトレイ装着部３に装着されたこととなる。
【００４２】
この状態で、前記搬送用開口部２２において、図示しないリフトアップ機構により用紙Ｐを開放上面側へ押し上げるとともに、最上位の用紙を分離ローラに当接させ、前記分離ローラを回転させることで、前記用紙を１枚ずつ分離して搬送用開口部２２から搬送経路へ搬送する。
【００４３】
このとき、本実施形態においては、蓋体４１はプリンタ側係止突起７と開き防止用突起６５とにより、蓋体４１が開いてしまうことを防止することができる。
【００４４】
そして、用紙トレイ２１をプリンタ本体１から抜き取る際には、前記プリンタ側フック８と蓋側フック６６とが係合しているので、トレイ本体２３が引き抜かれる一方で、前記可動蓋６１は蓋側フック６６がプリンタ側フック８と係合し、両フック８，６６間の係合力よりも用紙トレイ２１を引き抜く力が大きく作用するまで留まることで、トレイ本体２３の先端上面に開口していた搬送用開口部２２を再び可動蓋６１により被覆することができる。このように、本実施形態においては、用紙トレイ２１をプリンタ本体１に着脱させることで、可動蓋６１を移動させて搬送用開口部２２を開閉することができるので、使用感が極めて良好なものとなる。
【００４５】
さらに、トレイ本体２３に対する前記用紙案内部９の係合が解除されるので、用紙トレイ２１内において用紙Ｐは自重により先端辺を用紙トレイ２１の挿入方向における端壁に揃えるようにして元の位置に戻るため、トレイ本体２３に形成された突起２９が、トレイ本体２３に積層された用紙Ｐの先端に当接し、用紙Ｐの位置を規制して、用紙トレイ２１外への流出を防止するように作用する。
【００４６】
よって、用紙トレイ２１のプリンタ本体１に対する非装着時においては、トレイ本体２３の搬送用開口部２２を可動蓋６１が被覆し、前記蓋体４１によってトレイ本体２３の開放上面を全て被覆することができるので、用紙Ｐが用紙トレイ２１の搬送用開口部２２から流出してしまう不具合を確実に防止することができるとともに、用紙トレイ２１内への塵埃の進入を防止し、印画不良の発生を回避することができる。
【００４７】
なお、蓋本体５１に形成される本体側スライド案内部５４の形成位置、それに対応する可動蓋６１に形成される可動側スライド案内部６４の形成位置は、本実施形態のように側壁部分に限るものではない。例えば、可動蓋６１の脱落防止機構を備えれば、スライド案内部を天板部分に形成することも可能である。
【００４８】
また図８乃至図１１は、本発明のプリンタの第２実施形態を示している。
図８は、本実施形態の用紙トレイの可動蓋を閉じた状態を示す説明図であり、（Ａ）は平面図、（Ｂ）は側面図、（Ｃ）は（Ａ）のＣ−Ｃ断面図、（Ｄ）は（C）の要部拡大説明図であり、（Ｅ）は可動蓋を閉じる際の（Ｄ）直前の状態を示す要部拡大説明図である。また、図９は、本実施形態の用紙トレイの可動蓋を開いて、搬送用開口部を開放した状態を示す説明図であり、（Ａ）は平面図、（Ｂ）は側面図、（Ｃ）は（Ａ）のＣ−Ｃ断面図である。さらに、図１０は、本実施形態のプリンタのプリンタ本体に対し、用紙トレイを装着する前のトレイ保持部等と用紙トレイとの関係を説明する説明図であり、（Ａ）は平面図、（Ｂ）は（Ａ）のＢ−Ｂ断面図である。また、図１１は、本実施形態のプリンタのプリンタ本体に用紙トレイを装着した状態のトレイ保持部等と用紙トレイとの関係を説明する説明図であり、（Ａ）は平面図、（Ｂ）は（Ａ）のＢ−Ｂ断面図である。
【００４９】
なお、これらの各図面においても、プリンタ本体の筐体等の図示を省略し、用紙トレイのプリンタ本体の装着と保持に関係する要部のみを選択的に図示する。
【００５０】
以下には、前述の第１実施形態と異なる特徴部分のみを説明し、同じ構成の部分については説明を省略する。
【００５１】
第２実施形態のプリンタの用紙トレイ２１は、図８および図９に示すように、可動蓋６１の一対の可動側壁６３には、前記可動側スライド案内部として、前記スライド用突起６４に代えて、用紙トレイ２１の反挿入方向に向かってトレイ本体２３の開放上面へ向かうカム溝６９がそれぞれ２本平行に形成されている。また、蓋本体５１の一対の側壁５３には、本体側スライド案内部として、前記スライド溝５４に代えて、前記カム溝６９内を移動可能に係合するスライド用突起５６が形成されている。
【００５２】
また、第１実施形態において、可動蓋６１の一対の可動側壁６３に形成されていた蓋側フック６６は、本実施形態においては、前記可動蓋６１の可動天板６２の上面において、用紙トレイ２１の幅方向中央から左右対称の位置にそれぞれ形成（図中には２個）されており、プリンタ本体１のトレイ装着部３に形成されていたプリンタ側フック８も、前記可動蓋６１に形成されたフック６６と対応させて、係合可能なトレイ装着部３内の位置に形成されている。
【００５３】
詳しくは、可動天板６２に形成された蓋側フック６６はそれぞれ、用紙トレイ２１の反挿入方向を連接させたコ字状の切欠きが形成され、この切欠きに三方を囲まれた可撓片６６ａの自由先端部に断面三角形状のフック部６６ｂが形成されている。また、可動天板６２の前記フック部６６ｂの裏面側には、断面ドット状の間隙確保用の凸部７０が形成されている。そして、蓋本体５１の用紙トレイ２１の挿入方向先端側の上面には、可動蓋６１が前記搬送用開口部２２を被覆した際に、前記凸部７０が嵌合する凹部５７が形成されている。そして、前記凸部７０の突出寸法および凹部５７の深さ寸法は、前記凹部５７の直前位置においても前記フック部６６ｂとプリンタ側フック８は係合状態を維持し、前記凸部７０が凹部５７に嵌合した段階で、前記フック部６６ｂとプリンタ側フック８との係合状態が解除される寸法とする。
【００５４】
このように、本実施形態の構成のプリンタにおいては、可動側スライド案内部のカム溝６９を用紙トレイ２１の反挿入方向に向かってトレイ本体２３の開放上面へ向かうように形成することで、可動蓋６１の開閉時で、可動蓋６１の高さ位置を異ならせることができ、用紙トレイ２１のプリンタ本体１に対する脱着時の可動蓋６１の開閉を確実に行なうことができる。
【００５５】
すなわち、前述の第１実施形態においては、前述の通り、用紙トレイ２１をトレイ装着部３から引き抜く際に、蓋側フック６６とプリンタ側フック８とを確実に係合させるためには、前述のプリンタ本体１側の付き当て部６とプリンタ側フック８との用紙トレイ２１の挿脱方向における距離寸法Ｘよりも、プリンタ本体１の付き当て部６に当接する可動蓋６１の先端から蓋側フック６６との用紙トレイ２１の挿脱方向における距離寸法Ｙの方を小さく形成しなければならない。つまり、可動蓋６１の先端がプリンタ本体１の付き当て部６に突き当たる前に、蓋側フック６６がプリンタ側フック８を乗り越えて、奥側にある必要がある。このため、プリンタ側フック８は、用紙トレイ２１をトレイ装着部３に装着する際には、蓋側フック６６が乗り越えやすく、逆に、用紙トレイ２１をトレイ装着部３から引く抜く際には、可動蓋６１が搬送用開口部２２を覆って止まるまで、蓋側フック６６を係止している構成としなければならない。このように、前記プリンタ側フック８は、その自由先端部に形成されたフック部８ｂの傾斜角や、可撓片８ａの弾性などに微妙な調整を要する。
【００５６】
その点、本実施形態のプリンタにおいては、可動蓋６１の開閉時で、可動蓋６１の高さ位置が異なるため、用紙トレイ２１をトレイ装着部３に装着する際に、蓋側フック６６をプリンタ側フック８と係合させることなく、あるいは軽い係合を経て、トレイ装着部３におけるプリンタ側フック８の形成位置よりも奥側に位置させ、可動蓋６１を付き当て部６に突き当てた状態からトレイ本体２３のみを奥側へ押し込むようにすることで、可動蓋６１をスライド案内部のカム溝６９にしたがって徐々に立ち上げさせる。そして、前記プリンタ側フック８に対し、前記可撓片６６ｂを大きく撓ませた状態で蓋側フック６６を係合させる。
【００５７】
そして、用紙トレイ２１をトレイ装着部３から引き抜く際には、蓋側フック６６とプリンタ側フック８との係合を利用して、可動蓋６１で前記搬送用開口部２２を被覆するようにする。つまり、可動蓋６１がカム溝６９によりトレイ本体２３の開放上面から大きく立ち上がっている間、すなわち、前記前記蓋本体５１と可動蓋６１との間に十分な間隙が確保されている間は、蓋側フック６６とプリンタ側フック８は、前記蓋側フック６６の可撓片６６ａの大きな弾性負荷により強めに係合している。可動蓋６１がトレイ本体２３の開放上面に近づき、立上り幅が狭くなってくると、蓋側フック６６とプリンタ側フック８は、前記蓋側フック６６の弾性負荷も小さくなり、弱めに係合する。そして、本実施形態においては、図８（Ｄ）に示すように、可動天板６２の前記フック部の裏面側に形成された間隙確保用の凸部７０が、蓋本体５１の天板５２の上面に形成された凹部５７に嵌合するまで、すなわち、可動蓋６１が搬送用開口部２２を被覆するまでは、図８（Ｅ）に示すように、前記前記蓋本体５１と可動蓋６１との間には少なくとも前記凸部７０の突出寸法分だけ間隙が確保され、前記蓋側フック６６とプリンタ側フック８は係合した状態を維持する。つまり、前記蓋側フック６６とプリンタ側フック８との係合は、可動蓋６１が閉状態となったときに解除される。このようにして、搬送用開口部２２を可動蓋６１で被覆し、前記蓋側フック６６とプリンタ側フック８との係合を解除してから用紙トレイ２をトレイ装着部から抜く。このように、前述の第１実施形態のプリンタの構成に比べて、プリンタ側フック８および蓋側フック６６の形状およびバランスの調整が簡単になる。
【００５８】
また、図１２および図１３は、本発明のプリンタの第３実施形態を示している。
図１２は、第３実施形態におけるプリンタのプリンタ本体に対する用紙トレイの要部構成を説明するための一部分解斜視図であり、図１３は、本実施形態の用紙トレイの可動蓋を閉じた状態を示す説明図であり、（Ａ）は平面図、（Ｂ）は側面図、（Ｃ）は（Ｂ）のＣ−Ｃ断面図である。
【００５９】
以下には、前述の第１実施形態と異なる特徴部分のみを説明する。
【００６０】
第３実施形態のプリンタの用紙トレイ２１は、前記蓋本体５１と可動蓋６１との間に、ばね（ねじりばね）４２の付勢によって前記可動蓋６１を常時閉状態に保持する機構を備えている。
【００６１】
本実施形態において、前記機構は用紙トレイ２１の幅方向中央から左右の対象となるように配設された２組のばね機構である。このように、前記可動蓋６１を常時閉状態に保持する機構を用紙トレイ２１の幅方向中央から左右の対象となるように配設することで、可動蓋６１のスライド移動がぐらつかずに安定したものとすることができる。そして、各ばね機構は、可動蓋６１の可動天板６２の下面に突設された係合突起部７１と、蓋本体５１の天板５２の上面におけるトレイ本体２３の挿入方向端部に形成された座ぐり部５８と、この座ぐり部５８の底面５８ａに配設されたねじりばね４２と、前記座ぐり部５８の底面５８ａに、トレイ本体２３の挿入方向に延在させて形成され、蓋本体５１に可動蓋６１を配設した際に、前記係合突起部７１が移動自在に位置する開口切欠き部５８ｂとからなる。
【００６２】
前記ねじりばね４２は、それぞれの座ぐり部５８内にその底面５８ａから垂設された軸５８ｃにコイル部４２ａを軸支し、一方のアームは固定アーム４２ｂとして前記底面５８ａから垂設された柱部５８ｄと座ぐり部５８の周壁との間に形成された間隙部に位置させてその移動を規制されている。他方のアームは可動アーム４２ｃとして、前記可動蓋６１の裏面に形成された係合突起部７１に係合しており、ねじりばね４２に負荷をかけずに可動アーム４２ｃをフリー状態としたときには、前記可動蓋６１がその先端側を蓋本体５１における用紙トレイ２１の挿入方向側へ延在させるようにしてスライド移動し、蓋本体５１から先端側へ突出し、片持ち状に支持されて位置することで、搬送用開口部２２を被覆するように構成されている。また、ねじりばね４２に負荷をかけながら可動蓋６１をトレイ本体２３の反挿入方向へ押し戻すようにスライド移動させ、その可動天板６２を前記蓋本体５１の天板５２と重ねるように位置することで、搬送用開口部２２は給紙可能な状態に開放されるように構成されている。
【００６３】
つまり、本実施形態のプリンタにおいては、常時、前記ばね機構のねじりばね４２により、可動アーム４２ｃが係合する係合突起部７１を介して可動蓋６１を用紙トレイ２１の挿入方向へ付勢している。よって、前記用紙トレイ２１は、プリンタ本体１の筐体に形成されたトレイ挿脱口に前記プリンタ本体１に対して斜行ないし直立させた状態で案内レール５に沿って挿入されると、トレイ装着部３の付き当て部６に用紙トレイ２１の可動蓋６１が突き当たる。この状態で、さらにトレイ本体２３をさらに奥側へ挿入すると、可動蓋６１は前記付き当て部６により、前記トレイ保持部４側への進入を阻止され、前記ねじりばねの付勢に抗して蓋本体５１と重なるようにスライド移動する。よって、前記トレイ本体２３の開放上面における前記用紙トレイ２１の挿入方向側に形成される搬送用開口部２２が開かれていく。また、トレイ本体２３自体は、さらに挿入されることにより、その先端部に形成されたトレイ保持用フック６８がプリンタ側の保持用係止孔１０に係止され、前記トレイ保持部４に保持される。
【００６４】
そして、用紙トレイ２１をトレイ装着部３から引き抜く際には、第１実施形態のように、前記プリンタ側フック８と蓋側フック６６とが係合しているが、本実施形態においては、この係合を解除し、さらに、係合孔に対する開時用係合突起の係合を解除することで、ねじりばね４２の付勢力が作用し、可動蓋６１は自動的に搬送用開口部２２を被覆するように移動することとなる。よって、トレイ本体２３の先端上面に開口していた搬送用開口部２２を再び可動蓋６１により被覆することができる。
【００６５】
このように、本実施形態においては、前記可動蓋６１は、特に、ねじりばね４２によって、常に、搬送用開口部２２を被覆する方向に付勢されるので、その搬送用開口部２２から塵埃が入り、印画不良の原因となることをより確実に防止することができる。
【００６６】
なお、本発明は、前述した実施の形態に限定されるものではなく、必要に応じて種々の変更が可能である。
【００６７】
例えば、第１実施形態における本体側スライド案内部および可動側スライド案内部は、蓋本体５１および可動蓋６１のそれぞれの側壁に形成されている必要はない。例えば、それぞれの対向する天板に形成してもよい。
【図面の簡単な説明】
【００６８】
【図１】第１実施形態のプリンタにおけるプリンタ本体に対する用紙トレイの装着前の状態を説明する斜視図
【図２】第１実施形態のプリンタにおけるプリンタ本体に対し、用紙トレイを装着した状態を説明する斜視図
【図３】図２のプリンタの側面図
【図４】図３のプリンタのIV−IV断面図
【図５】第１実施形態のプリンタにおける用紙トレイの可動蓋を閉じた状態を示す説明図であり、（Ａ）は平面図、（Ｂ）は側面図、（Ｃ）は（Ａ）のＣ−Ｃ断面図、（Ｄ）は（Ｃ）の要部拡大説明図
【図６】第１実施形態のプリンタにおける用紙トレイの可動蓋を開いて、搬送用開口部を開放した状態を示す説明図であり、（Ａ）は平面図、（Ｂ）は（Ａ）のＢ−Ｂ断面図、側面図、（Ｃ）は（Ｂ）の要部拡大説明図、（Ｄ）は斜視図
【図７】第１実施形態のプリンタのトレイ保持部と用紙トレイとの関係を説明する説明図であり、（Ａ）は平面図、（Ｂ）は側面図、（Ｃ）は（Ａ）のＣ−Ｃ断面図
【図８】第２実施形態のプリンタにおける用紙トレイの可動蓋を閉じた状態を示す説明図であり、（Ａ）は平面図、（Ｂ）は側面図、（Ｃ）は（Ａ）のＣ−Ｃ断面図、（Ｄ）は（C）の要部拡大説明図、（Ｅ）は可動蓋を閉じる際の（Ｄ）直前の状態を示す要部拡大説明図
【図９】第２実施形態のプリンタにおける用紙トレイの可動蓋を開いて、搬送用開口部を開放した状態を示す説明図であり、（Ａ）は平面図、（Ｂ）は側面図、（Ｃ）は（Ａ）のＣ−Ｃ断面図
【図１０】第２実施形態のプリンタのプリンタ本体に対し、用紙トレイを装着する前のトレイ保持部等と用紙トレイとの関係を説明する説明図であり、（Ａ）は平面図、（Ｂ）は（Ａ）のＢ−Ｂ断面図
【図１１】第２実施形態のプリンタのプリンタ本体に用紙トレイを装着した状態のトレイ保持部等と用紙トレイとの関係を説明する説明図であり、（Ａ）は平面図、（Ｂ）は（Ａ）のＢ−Ｂ断面図
【図１２】第３実施形態のプリンタのプリンタ本体に対する用紙トレイの要部構成を説明するための一部分解斜視図
【図１３】第３実施形態のプリンタにおける用紙トレイの可動蓋を閉じた状態を示す説明図であり、（Ａ）は平面図、（Ｂ）は側面図、（Ｃ）は（Ｂ）のＣ−Ｃ断面図
【符号の説明】
【００６９】
１  プリンタ本体
２  側壁部材
３  トレイ装着部
４  トレイ保持部
５  案内レール
６  付き当て部
７  プリンタ側係止突起
８  プリンタ側フック
８a  可撓片
８ｂ  フック部
９  用紙案内部
１０  保持用係止孔
２１  用紙トレイ
２２  搬送用開口部
２３  トレイ本体
２４  レール嵌合部
２５  底板
２６  端壁
２７  開口切欠き部
２８  リフトアップ用開口部
２９  （爪状）突起
３０  側壁
４１  蓋体
４２  ねじりばね
４２ａ  コイル部
４２ｂ  固定アーム
４２ｃ  可動アーム
５１  蓋本体
５２  天板
５３  側壁
５４  （本体側スライド案内部）スライド溝  
５５  凸状係合部
５６  （本体側スライド案内部）スライド用突起
５７  凹部
５８  座ぐり部
５８ａ  底面
５８ｂ  開口切欠き部
５８ｃ  軸
５８ｄ  柱部
６１  可動蓋
６２  可動天板
６３  可動側壁
６５  開き防止用突起  
６６  蓋側フック
６６ａ  可撓片
６６ｂ  フック部  
６７  凹状係合部
６８  トレイ保持用フック
６８ａ  可撓片
６８ｂ  フック部
６９  （可動側スライド案内部）カム溝
７０  凸部
７１  係合突起部
Ｐ  用紙
【図１】
2009269694.tif 000003
【図２】
2009269694.tif 000004
【図３】
2009269694.tif 000005
【図４】
2009269694.tif 000006
【図５】
2009269694.tif 000007
【図６】
2009269694.tif 000008
【図７】
2009269694.tif 000009
【図８】
2009269694.tif 000010
【図９】
2009269694.tif 000011
【図１０】
2009269694.tif 000012
【図１１】
2009269694.tif 000013
【図１２】
2009269694.tif 000014
【図１３】
2009269694.tif 000015